(57)【要約】【課題】混練初期から後期まで、混練材料の粘度変化を考慮した密閉式混練機の運転方法を提供すること。【解決手段】チャンバー１の内周面１ａとロータ翼３２の先端部との間に形成されるチップクリアランスＣの大きさを、ロータ３のロータ軸３１の軸方向の中央部と両端部とに差を持たせるように構成し、混練初期から中期までは、ロータ３のロータ軸３１の軸方向の中央部Ｗａと両端部Ｗｂ、Ｗｃとのうちチップクリアランスが大となる部分に混練材料を送る方向にロータ３を回転させ、混練後期には、ロータ３の回転を反転させて、ロータ３のロータ軸３１の軸方向の中央部Ｗａと両端部Ｗｂ、Ｗｃとのうちチップクリアランスが小となる部分に混練材料を送るようにする。【選択図】図１
2008068433.tif 000002
【特許請求の範囲】
【請求項１】
チャンバー内に取り付けられたロータ軸に複数のロータ翼を有する一対のロータを配設し、前記ロータ翼を、ロータ軸の軸方向中央部近傍を境に捩れ方向が逆となるように構成するとともに、ロータを１の方向に回転させることによって、混練材料がロータの軸方向の中央部に集まるように前記捩れ方向を決定し、投入する混練材料をロータの回転によって混練する密閉式混練機の混練方法において、チャンバーの内周面とロータ翼の先端部との間に形成されるチップクリアランスの大きさを、ロータの軸方向の中央部と両端部とに差を持たせるように構成し、混練初期から中期までは、ロータの軸方向の中央部と両端部とのうちチップクリアランスが大となる部分に混練材料を送る方向にロータを回転させ、混練後期には、ロータの回転を反転させて、ロータの軸方向の中央部と両端部とのうちチップクリアランスが小となる部分に混練材料を送るようにしたことを特徴とする密閉式混練機の運転方法。
【請求項２】
チップクリアランスの大きさを、ロータの軸方向の中央部より両端部が小さくなるように構成し、対となるロータのうち、側面視左側のロータを時計回りに、右側のロータを反時計回りに回転させることによって混練材料がロータの軸方向の中央部に集まるようにロータ翼の捩れ方向を決定し、投入する混練材料をロータの回転によって混練する密閉式混練機の運転方法であって、混練初期から中期までは、側面視左側のロータを時計回りに、右側のロータを反時計回りに回転させることによって、チップクリアランスが大となる中央部に混練材料を送り、混練後期には、ロータの回転を反転させて、チップクリアランスが小となる両端部に混練材料を送るようにしたことを特徴とする密閉式混練機の運転方法。
【発明の詳細な説明】
【技術分野】
【０００１】
本発明は、ゴム、プラスチック等の高粘度の材料の混練を行うための密閉式混練機に関し、特に、混練材料を収納するチャンバーと、このチャンバーの上部を閉鎖する加圧蓋と、チャンバー内に取り付けられたロータ軸にロータ翼を有する一対のロータとを備えた密閉式混練機の運転方法に関するものである。
【背景技術】
【０００２】
従来、ゴム、プラスチック等の高粘度の材料の混練を行うための密閉式混練機として、図７〜図８に示すように、混練材料を収納するチャンバー１と、このチャンバー１の上部を閉鎖する加圧蓋２と、チャンバー１内に回転可能に取り付けられたロータ軸３１にロータ翼３２を有する一対のロータ３とを備えた密閉式混練機が実用化されている。
この密閉式混練機は、チャンバー１の内周面１ａとロータ翼３２の先端部との間に形成されるチップクリアランスＣの大きさを、チャンバー１の全内周面１ａに亘って一定となるようにしていた。
そして、密閉式混練機による混練においては、チップクリアランスＣ内を混練材料が通過することにより、混練材料に高剪断力を与えることができる。この高剪断力によって、混練材料の粘度を低下させ、混練材料内への配合剤の混入を速めるとともに、配合剤二次凝集体の解砕微粒子化を行い、混入する配合剤の高分散を促進するものである。
ところで、混練材料の粘度は、混練初期では高く、混練後期には低くなっていく傾向があり、チップクリアランスＣの大きさが一定の場合、チップクリアランスＣが大きいときには、混練初期の配合剤の混入は早いものの、混練後期においては配合剤の高分散が劣ることとなり、逆に、チップクリアランスＣが小さいときには、逆の現象が起こるという問題があった。
【０００３】
一方、混練材料の良好な混練と分散ができるとともに、過剰な温度上昇を防止することを目的に、ロータ翼の半径をロータの軸方向に変化させることによって、ロータの軸方向に異なる複数（大、中、小）のチップクリアランスを出現させるように構成した混練機も提案されている（例えば、特許文献１参照）。
ところで、この密閉式混練機は、混練初期の混練材料が高粘度のときには、チップクリアランス［大］や［中］で混練されることにより配合剤の混入を早めることができ、また、混練後期の混練材料が低粘度のときには、チップクリアランス［小］で混練されることにより配合剤の高分散を促進することができる反面、混練初期から混練後期にかけてチップクリアランス［大］及び［中］と、チップクリアランス［小］とが同じ頻度で出現するように構成されているため、混練初期の混練材料が高粘度のときにも、ほぼ同じ割合の混練材料がチップクリアランス［小］で混練されることになり、また同様に、混練後期の混練材料が低粘度のときにも、ほぼ同じ割合の混練材料がチップクリアランス［大］及び［中］で混練されることになり、混練の効率が悪いという問題があった。
【特許文献１】特許第３１３５０５６号公報
【発明の開示】
【発明が解決しようとする課題】
【０００４】
本発明は、上記従来の密閉式混練機の運転方法の有する問題点に鑑み、混練初期から後期まで、混練材料の粘度変化を考慮した密閉式混練機の運転方法を提供することを目的とする。
【課題を解決するための手段】
【０００５】
上記目的を達成するため、本第１発明の密閉式混練機の運転方法は、チャンバー内に取り付けられたロータ軸に複数のロータ翼を有する一対のロータを配設し、前記ロータ翼を、ロータ軸の軸方向中央部近傍を境に捩れ方向が逆となるように構成するとともに、ロータを１の方向に回転させることによって、混練材料がロータの軸方向の中央部に集まるように前記捩れ方向を決定し、投入する混練材料をロータの回転によって混練する密閉式混練機の混練方法において、チャンバーの内周面とロータ翼の先端部との間に形成されるチップクリアランスの大きさを、ロータの軸方向の中央部と両端部とに差を持たせるように構成し、混練初期から中期までは、ロータの軸方向の中央部と両端部とのうちチップクリアランスが大となる部分に混練材料を送る方向にロータを回転させ、混練後期には、ロータの回転を反転させて、ロータの軸方向の中央部と両端部とのうちチップクリアランスが小となる部分に混練材料を送るようにしたことを特徴とする。
ここで、「ロータ軸の軸方向中央部近傍」とは、ロータ軸の軸方向の中央位置から両側にロータ軸の軸方向の長さの１／６程度の長さの範囲をいう。
【０００６】
また、本第２発明の密閉式混練機の運転方法は、チップクリアランスの大きさを、ロータの軸方向の中央部より両端部が小さくなるように構成し、対となるロータのうち、側面視左側のロータを時計回りに、右側のロータを反時計回りに回転させることによって混練材料がロータの軸方向の中央部に集まるようにロータ翼の捩れ方向を決定し、投入する混練材料をロータの回転によって混練する密閉式混練機の運転方法であって、混練初期から中期までは、側面視左側のロータを時計回りに、右側のロータを反時計回りに回転させることによって、チップクリアランスが大となる中央部に混練材料を送り、混練後期には、ロータの回転を反転させて、チップクリアランスが小となる両端部に混練材料を送るようにしたことを特徴とする。
【発明の効果】
【０００７】
本発明の密閉式混練機の運転方法によれば、チャンバーの内周面とロータ翼の先端部との間に形成されるチップクリアランスの大きさを、ロータの軸方向の中央部と両端部とで異なるように構成し、混練初期から中期までは、ロータの軸方向の中央部と両端部とのうちチップクリアランスが大となる部分に混練材料を送る方向にロータ軸を回転させ、混練後期には、ロータの回転を反転させて、ロータの軸方向の中央部と両端部とのうちチップクリアランスが小となる部分に混練材料を送るようにすることにより、混練材料の粘性が高く、変形が困難な混練初期から中期においては、チップクリアランスが大となる部分に混練材料をロータ翼によって積極的に移動させながら混練を行い、混練後期において、混練材料の粘度が低下したときには、ロータの回転を反転させて、チップクリアランスが小となる部分に混練材料を積極的に送り込むようにし、混練後期の低粘度化した混練材料であっても、混練材料に高剪断力を与え、配合剤二次凝集体の解砕微粒子化を進め、配合剤の高分散化を短時間で行うことができるようにしている。
【０００８】
また、チップクリアランスの大きさを、ロータの軸方向の中央部より両端部が小さくなるように構成し、対となるロータのうち、側面視左側のロータを時計回りに、右側のロータを反時計回りに回転させることによって混練材料がロータの軸方向の中央部に集まるようにロータ翼の捩れ方向を決定し、投入する混練材料をロータの回転によって混練するようにすることにより、粘度の高い混練初期から中期にかけて、混練材料を噛み込むように中央に集めながら混練することができ、混練初期から中期における配合剤の高分散化を効率よく行うことができる。
【発明を実施するための最良の形態】
【０００９】
以下、本発明の密閉式混練機の運転方法の実施の形態を、図面に基づいて説明する。
なお、本発明の運転方法に用いる密閉式混練機については、従来装置と同様の構造については同一の符号、一連の符号を付し説明を省略する。
【実施例１】
【００１０】
図１〜図５に、本発明の密閉式混練機の運転方法に用いる密閉式混練機の第１実施例を示す。
この密閉式混練機は、ゴム、プラスチック等の高粘度の材料の混練を行うためのもので、混練材料を収納するチャンバー１と、このチャンバー１の上部を閉鎖する加圧蓋２と、チャンバー１内に回転可能に取り付けられたロータ軸３１にロータ翼３２を有する一対のロータ３とを備えている。
【００１１】
そして、この密閉式混練機においては、図１に示すように、チャンバー１の内周面１ａとロータ翼３２の先端部との間に形成されるチップクリアランスの大きさを、ロータ３のロータ軸３１の軸方向の中央部Ｗａより両端部Ｗｂ、Ｗｃが小さくなるように、すなわち、中央部ＷａのチップクリアランスＣａと、両端部Ｗｂ、ＷｃのチップクリアランスＣｂ、Ｃｃとの間に、Ｃａ＞Ｃｂ、Ｃａ＞Ｃｃの関係が成立するようにしている。両端部Ｗｂ、ＷｃのチップクリアランスＣｂ、Ｃｃは、同じクリアランスとすることが好ましい。
【００１２】
なお、本実施例においては、ロータ３のロータ軸３１の軸方向の中央部ＷａのチップクリアランスＣａと、両端部Ｗｂ、ＷｃのチップクリアランスＣｂ、Ｃｃとを、それぞれ一定とすることにより、ロータ３のロータ軸３１の軸方向の中央部Ｗａ及び両端部Ｗｂ、Ｗｃが、それぞれロータ軸３１の軸と平行となり、その結果、図１に示すように、チャンバー１の内周面１ａの中央部Ｗａと両端部Ｗｂ、Ｗｃとの間に段差（略４５°の短い傾斜面）が生じるようになっているが、例えば、チャンバー１の内周面１ａの中央部Ｗａと両端部Ｗｂ、Ｗｃとをなだらかな傾斜面で接続することによって、中央部Ｗａから両端部Ｗｂ、Ｗｃにかけて連続してチップクリアランスが次第に小さくなるようにすることもでき、これによって、混練材料の円滑な移動を可能にすることができる。
【００１３】
また、ロータ３のロータ軸３１の軸方向の中央部ＷａのチップクリアランスＣａと、両端部Ｗｂ、ＷｃのチップクリアランスＣｂ、Ｃｃとに差を持たせるために、ロータ翼３２の先端部の半径をロータ軸３１の軸方向において一定とした螺旋形状のロータ翼３２に対して、チャンバー１の内周面１ａのロータ軸３１の軸方向の中央部側を大きく凹欠させるようにしたが、これとは逆に、ロータ軸３１の軸方向の中心線からチャンバー１の内周面１ａまでの半径をロータ軸３１の軸方向において一定とし、螺旋形状のロータ翼３２の先端部の半径を変化させてロータ軸３１の軸方向の中央部側が小（チップクリアランス大）、両端部側が大（チップクリアランス小）となるように形成することもできる。
【００１４】
そして、本発明の密閉式混練機の運転方法では、図４に示す、ロータ３の展開図におけるロータ翼３２の捩れ角度によって、矢符Ａ方向（側面視左側のロータ３を時計回り、右側のロータ３を反時計回り）にロータ３を回転（以下、「正回転」という。）させることによって、混練材料は、Ｒ方向に移動する。このＲ方向は、対となるロータ３が噛み合う方向（対となるロータ３によって移動される材料がぶつかり合う方向）に材料を移動させるＲｙ方向と、ロータ軸３１の軸方向の中央部Ｗａに向かうＲｘ方向とに分解され、ロータ３の正回転において混練材料は、中央部Ｗａに集まりながら混練される。
【００１５】
また、図５に示すように、ロータ３を正回転と逆方向（矢符Ｂ方向（側面視左側のロータ３を反時計回り、右側のロータ３を時計回り））に回転（以下、「逆回転」という。）させることによって、混練材料は、Ｌ方向に移動する。このＬ方向は、対となるロータ３がチャンバー１の噛み合い部から外側の側壁方向に材料を移動させるＬｙ方向、すなわち、ロータ３の回転方向と、ロータ軸３１の軸方向の両端部Ｗｂ、Ｗｃに向かうＬｘ方向とに分解され、ロータ３の逆回転において混練材料は、両端部Ｗｂ、Ｗｃに集まりながら混練される。
【００１６】
以下、図１に基づいて、本実施例の密閉式混練機の具体例を示す。
Ｗａ＝１／２Ｗ、Ｗｂ＝Ｗｃ＝１／４Ｗ
Ｃａ＝１０ｍｍ、Ｃｂ（＝Ｃｃ）＝４ｍｍ
ここで、Ｗ：チャンバー１のロータ軸３１の軸方向の寸法である。
なお、上記の値は、これに限定されるものでなく、密閉式混練機の大きさ、混練材料の種類等に応じて、適宜変更することができる。
【００１７】
上記構成において、本発明の密閉式混練機の運転方法は、混練初期から中期までは、ロータ３のロータ軸３１の軸方向の中央部Ｗａと両端部Ｗｂ、Ｗｃとのうちチップクリアランスが大となる中央部Ｗａに材料が集まるようにロータ３を正回転させ、混練後期には、ロータ３のロータ軸３１の軸方向の中央部Ｗａと両端部Ｗｂ、Ｗｃとのうちチップクリアランスが小となる両端部Ｗｂ、Ｗｃに混練材料が集まるようにロータ３を逆回転させるように密閉式混練機を運転する。
これによって、混練初期から中期、そして、混練材料の粘度が低下する混練後期においても、混練材料に高剪断力を付与し、配合剤の高分散化を行うことができる。
【実施例２】
【００１８】
図６に、本発明の密閉式混練機の運転方法に用いる密閉式混練機の第２実施例を示す。
この密閉式混練機は、ロータ３のロータ軸３１の軸方向の中央部ＷａのチップクリアランスＣａと、両端部Ｗｂ、ＷｃのチップクリアランスＣｂ、Ｃｃとの差を、中央部Ｗａより両端部Ｗｂ、Ｗｃが大きくなるように、すなわち、中央部ＷａのチップクリアランスＣａと、両端部Ｗｂ、ＷｃのチップクリアランスＣｂ、Ｃｃとの間に、Ｃａ＜Ｃｂ、Ｃａ＜Ｃｃの関係が成立するようにしたものである。
【００１９】
そして、ロータ翼３２の捩れ方向を、第１実施例と同様の方向にした場合、混練初期から中期までは、ロータ３のロータ軸３１の軸方向の中央部Ｗａと両端部Ｗｂ、Ｗｃとのうちチップクリアランスが大となる両端部Ｗｂ、Ｗｃに混練材料が集まるようにロータ３を逆回転させ、混練後期には、ロータ３のロータ軸３１の軸方向の中央部Ｗａと両端部Ｗｂ、Ｗｃとのうちチップクリアランスが小となる中央部Ｗａに材料が集まるようにロータ３を正回転させるように密閉式混練機を運転する。
【００２０】
なお、ロータ翼３２の捩れ方向を、図４〜図５に示す方向と逆方向（図中、上下のロータを入れ替えた方向）とし、ロータ３を正回転させるときに、両端部Ｗｂ、Ｗｃに混練材料が集まるようにし、逆回転のときに、中央部Ｗａに材料が集まるようするときは、第１実施例と同様に、混練初期から中期までは、ロータ３を正回転させ、混練後期にはロータ３を逆回転させて運転することもできる。
【００２１】
以上、本発明の密閉式混練機の運転方法について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の密閉式混練機の運転方法は、混練初期から後期まで、混練材料の粘度変化を考慮した密閉式混練機の運転方法を提供するものであることから、混練材料の良好な混練と分散を目的とする場合に好適に用いることができ、この運転方法を実施する密閉式混練機も、新規のものに限定されず、例えば、既存の密閉式混練機のチャンバーの内周面を追加加工すること等によっても対応することができる。
【図面の簡単な説明】
【００２３】
【図１】本発明の密閉式混練機の運転方法を実施する密閉式混練機の第１実施例を示す正面断面図である。
【図２】同図１のＸ−Ｘ断面図（部分断面図）である。
【図３】同図１のＹ−Ｙ断面図（部分断面図）である。
【図４】正回転のときの混練材料の移動方向を示すロータの展開図である。
【図５】逆回転のときの混練材料の移動方向を示すロータの展開図である。
【図６】本発明の密閉式混練機の運転方法を実施する密閉式混練機の第２実施例を示す正面断面図である。
【図７】従来の密閉式混練機を示す側面断面図である。
【図８】同平面断面図である。
【符号の説明】
【００２４】
１    チャンバー
２    加圧蓋
３    ロータ
３１  ロータ軸
３２  ロータ翼
【図１】
2008068433.tif 000003
【図２】
2008068433.tif 000004
【図３】
2008068433.tif 000005
【図４】
2008068433.tif 000006
【図５】
2008068433.tif 000007
【図６】
2008068433.tif 000008
【図７】
2008068433.tif 000009
【図８】
2008068433.tif 000010